(57)【特許請求の範囲】
【請求項１】
遊技板に取り付けられるベースプレートと、ベースプレートの中央に形成された中央開口と、中央開口の周囲におけるベースプレートの前面に外側領域を形成するようにベースプレートの前面に突設した左右の外周壁と、ベースプレートの中央開口よりも上部に設けられた入口と、１個の遊技球が通過する左右間隔を以って相対峙するようにベースプレートの中央開口より下部前面に突設した一対の縦壁と、縦壁の対向間により１個の球が入る間隔に形成された特定領域と、縦壁と左右の外周壁の下部縦縁との間により１個の球が入る間隔に形成された出口と、出口に組み付けられた外側球検出器と、ベースプレートの裏面に突出しかつベースプレートの前方に突出しないように中央開口に取り付けられたことによって内側領域を形成する前方開放で後方閉鎖の前後方向に奥行きの有る筒状であって前縁が後縁より高さの低い傾斜面を形成する底壁を有するボックスと、入口から中央開口の上方のベースプレートの前面に排出された球が中央開口の上方より内側領域に遊技球が入らないようにするとともに外側領域に流れるようにベースプレートの前面より前面に突出した庇と、ベースプレートの前面に配置された羽根と、ボックスの裏面に取り付けられて羽根を開閉動作させるソレノイドとを備え、外側球検出器が球を検出したことによって、ソレノイドによって羽根が上下方向中間部の軸部を中心として開閉動作し、この羽根が閉動した場合、羽根が庇から外側領域に排出された球を中央開口および内側領域に入らないように中央開口の左右側縁に沿って前側に配置されて閉鎖状態となり、羽根が上下方向中間部の軸部を中心として開動した場合、羽根の軸部より上半部が外側領域に位置し、羽根の軸部より下半部が内側領域の前方に張り出して外側領域より内側領域に遊技球を誘導する開放状態となって、羽根の外側領域に張り出した端部と外周壁との間に１個の遊技球を通過させ得る隙間が形成されることを特徴とするパチンコ機の入賞装置。
【請求項２】
特定領域の入口が出口の入口よりも上方に配置されたことを特徴とする請求項１記載のパチンコ機の入賞装置。
【請求項３】
特定領域または出口が外側領域または内側領域から入った球をベースプレートの前面から遊技板の遊技領域に排出する通過タイプに形成されたことを特徴とする請求項１記載のパチンコ機の入賞装置。
【請求項４】
特定領域には特定領域に入った球を検出する特定球検出器が設けられ、ベースプレートの入口と中央開口との間には半透明の合成樹脂からなる光透過性プレートで塞がれた図柄表示開口が形成され、光透過性プレートの裏側には特定球検出器が球を検出したごとに当たり図柄または外れ図柄を表示する表示器が設けられたことを特徴とする請求項１記載のパチンコ機の入賞装置。
【発明の詳細な説明】
【０００１】
【産業上の利用分野】
この発明は、パチンコ機、アレパチ機、アレンジボール機などと通称されるパチンコ機において、遊技板の遊技領域に内側領域および外側領域を区画し、内側領域の入口を開閉する羽根などのような開閉体を有する入賞装置に関する。
【０００２】
【従来の技術】
パチンコ機の中には、例えば、特開平６−９１０４４号公報に開示されているように、遊技板に、羽根を有する役物と始動スイッチを有する入賞装置とを別々に設け、入賞装置に入った遊技球が始動スイッチをオン動作することにより、役物の羽根が開閉動作して上記とは別の遊技球を拾って役物の内部に入れ、この役物に入った遊技球により、遊技者に有利な遊技状況を発生するようにしたものが知られている。
【０００３】
【発明が解決しようとする課題】
しかし、上記従来の役物と入賞装置とを別々に設けたパチンコ機では、役物の羽根が開閉動作すると、遊技者は遊技球を役物の羽根に集中する傾向にあるが、遊技者個々人の技術格差およびパチンコ機やその役物などの癖またはパチンコ機の設置具合などによって、羽根が遊技球を拾う確率にばらつきを生じ、遊技性にに欠ける問題を内在する。
【０００４】
そこで、この発明は、羽根などの開閉体とそれの開閉動作のきっかけを作る始動スイッチなどの球検出手段とを装置本体に一体に組み合わせることにより、開閉体が遊技領域から入賞領域に入った遊技球を拾う確率を安定させて、遊技性を向上できる入賞装置を提供しようとするものである。
【０００５】
【課題を解決するための手段】
請求項１の発明は、遊技盤に取り付けられるベースプレートと、ベースプレートの中央に形成された中央開口と、中央開口の周辺におけるベースプレートの前面に外側領域を形成するようにベースプレートの前面に突設した左右の外周壁と、ベースプレートの中央開口よりも上部に設けられた入口と、１個の遊技球が通過する左右間隔を以って相対峙するようにベースプレートの中央開口より下部前面に突設した一対の縦壁と、縦壁の対向間により１個の球が入る間隔に形成された特定領域と、縦壁と左右の外周壁の下部縦縁との間により１個の球が入る間隔に形成された出口と、出口に組み付けられた外側球検出器と、ベースプレートの裏面に突出しかつベースプレートの前方に突出しないように中央開口に取り付けられたことによって内側領域を形成する前方開放で後方閉鎖の前後方向に奥行きの有る筒状であって前縁が後縁より高さの低い傾斜面を形成する底壁を有するボックスと、入口から中央開口の上方のベースプレートの前面に排出された球が中央開口の上方より内側領域に遊技球が入らないようにするとともに外側領域に流れるようにベースプレートの前面より前面に突出した庇と、ベースプレートの前面に配置された羽根と、ボックスの裏面に取り付けられて羽根を開閉動作させるソレノイドとを備え、外側球検出器が球を検出したことによって、ソレノイドによって羽根が上下方向中間部の軸部を中心として開閉動作し、この羽根が閉動した場合、羽根が庇から外側領域に排出された球を中央開口および内側領域に入らないように中央開口の左右側縁に沿って前側に配置されて閉鎖状態となり、羽根が上下方向中間部の軸部を中心として開動した場合、羽根の軸部より上半部が外側領域に位置し、羽根の軸部より下半部が内側領域の前方に張り出して外側領域より内側領域に遊技球を誘導する開放状態となって、羽根の外側領域に張り出した端部と外周壁との間に１個の遊技球を通過させ得る隙間が形成される構成である。請求項２の発明は、請求項１に記載された特定領域の入口が出口の入口よりも上方に配置された構成である。請求項３の発明は、請求項１に記載した特定領域または出口が外側領域または内側領域から入った球をベースプレートの前面から遊技板の遊技領域に排出する通過タイプに形成された構成である。請求項４の発明は、請求項１に記載した特定領域には特定領域に入った球を検出する特定球検出器が設けられ、ベースプレートの入口と中央開口との間には半透明の合成樹脂からなる光透過性プレートで塞がれた図柄表示開口が形成され、光透過性プレートの裏側には特定球検出器が球を検出したごとに当り図柄または外れ図柄を表示する表示器が設けられた構成である。
【０００６】
【作用】
請求項１の発明によれば、遊技球が入賞装置の入口から入ってベースプレートの中央開口よりも上部の前面に排出されて下方に流下すると、このベースプレートの前面を流下する遊技球が庇で中央開口を迂回してベースプレートの前面における外側領域に流れる。そして、羽根が閉じている場合、羽根と外周壁との間におけるベースプレートの前面の外側領域を流下した遊技球が出口に到達し、外側球検出器が出口に到達した遊技球を検出すると、羽根の軸部より上半部が外側領域に位置し、羽根の軸部より下半部が内側領域の前方に張り出して外側領域より内側領域に遊技球を誘導する開放状態となって、羽根の外側領域に張り出した端部と外周壁との間に１個の遊技球を通過させ得る隙間が形成される。この羽根が開放された状態において、上記とは別に入口から入った遊技球がベースプレートの中央開口よりも上部の前面を流下して庇で中央開口を迂回してベースプレートの前面における外側領域に流れ、この外側領域を流下した遊技球は、羽根で内側領域に誘導されてボックスの底壁に落下して中央開口を経由して特定領域または出口に入るか、または、外側領域に張り出した羽根の端部と外周壁との間に形成された隙間を通過して出口に入る。請求項２の発明によれば、外側領域を流下した遊技球が、特定領域に入ることなく特定領域よりも下方の出口に入る。請求項３の発明によれば、特定領域または出口に入った球がベースプレートの前面から遊技板の遊技領域に排出される。請求項４の発明によれば、特定領域に遊技球が入ると、表示器が当り図柄または外れ図柄を表示する。
【０００７】
【実施例】
以下、この発明の一実施例を図面とともに同一部分に同一符号を付して説明する。
図１は実施例の入賞装置を示す正面図、図２は同実施例の入賞装置の下部の前板を取り外した状態を示す正面図、図３は同実施例の入賞装置の開閉体としての羽根が開いた状態を示す正面図、図４は図３に示すＡ−Ａ線断面図、図５は同実施例の入賞装置を有するパチンコ機のゲージ盤を示す正面図である。
【０００８】
図１において、この実施例の入賞装置は、装置本体１、二つの開閉体を構成する羽根２，３、二つの外側球検出手段を構成する外側球検出器４，５、一つの特定球検出手段を構成する特定球検出器６、表示器７、マイクロコンピュータからなる制御装置８を備え、図外の遊技球が装置本体１に形成された外側領域１ａの入口１ｂから当該外側領域１ａに入り、その遊技球が外側領域１ａを落下して外側領域１ａの左右に分離形成された二つの出口１ｃ，１ｄのいずれかに到達すると、外側球検出器４，５のうちの遊技球が到達した出口に対応する一つが遊技球を検出して電気信号に変換された検出信号を制御装置８に出力し、制御装置８中の開閉動作手段８ａが装置本体１の内側領域１ｆの左右に分離形成された二つの入口１ｇ，１ｈを閉鎖している羽根２，３を予め設定された１回または複数回などの所定回数を以て開閉動作し、これらの羽根２，３の開閉中において、当該羽根２，３が上記とは別に入口１ｂから入り外側領域１ａの内部を出口１ｃ，１ｄに向けて落下する途中の遊技球を受け止めて内側領域１ｆの内部に誘導し、その遊技球が内側領域１ｆを落下して内側領域１ｆの出口１ｉから特定領域１ｊに入ると、特定球検出器６が特定領域１ｊに入った遊技球を検出して電気信号に変換された検出信号を制御装置８に出力し、制御装置８が特定の遊技信号を発生する。
【０００９】
この実施例では装置本体１に表示器７を設けてあるとともに、制御装置８中の特定の遊技信号を発生する手段を図柄作動手段８ｂに設定し、さらに特定球検出器６を図柄作動スイッチとして設定してあることから、上記特定球検出器６からの検出信号が制御装置８に送られた場合、制御装置８中の図柄作動手段８ｂが乱数などを用いて図柄組み合わせ信号を発生し、その発生された図柄組み合わせ信号が予め設定された当たり図柄であるか否かを判定するとともに、上記発生された図柄組み合わせ信号に応じた所定の回転運動角度範囲を以て表示器７を回転駆動して停止し、その停止した表示器７が図柄を指示する。
【００１０】
そして、上記図柄作動手段８ｂによる図柄判定の結果が当たり図柄である場合、つまり、見かけ上は、装置本体１に設けられた指標部１ｋに対応して停止した表示器７の図柄が当たり図柄であることから、停止した表示器７が当たり図柄を指示したときには、図柄作動手段８ｂは当たり信号を図外の普通電動役物、アタッカ、電動チューリップおよび第３種始動口などの役物に出力して、遊技者に有利な当たり遊技を発生する。
【００１１】
逆に、上記図柄判定の結果が当たり図柄以外の外れ図柄である場合、つまり、見かけ上は、指標部１ｋに対応して停止した表示器７の図柄が外れ図柄であることから、停止した表示器７が外れ図柄を指示したときには、図柄作動手段８ｂは役物への出力を行わない。
【００１２】
図２において、上記装置本体１は合成樹脂からなるベースプレート１ｍを有し、このベースプレート１ｍの中央には略方形の中央開口１ｎを形成し、ベースプレート１ｍの周囲前面には中央開口１ｎの周囲に外側領域１ａを形成する左右の外周壁１ｐ，１ｑを一体に突設し、ベースプレート１ｍの上部には上方より下方に順に配置された天入賞口１ｒ、中間出口１ｓおよび前記入口１ｂを有する。
【００１３】
天入賞口１ｒおよび入口１ｂの前面はベースプレート１ｍと合成樹脂からなる別体なる上前板９で覆われ、この上前板９の裏面には遊技球を入口１ｂの左右外側より入口１ｂに誘導するための誘導壁９ａを一体に形成してある。
【００１４】
ベースプレート１ｍの中間出口１ｓと中央開口１ｎとの間には図柄表示開口１ｔを形成し、この図柄表示開口１ｔはベースプレート１ｍとは別体の透明または半透明の合成樹脂からなる光透過性プレート１０で塞がれ、この光透過性プレート１０はベースプレート１ｍの裏面に接着されており、この光透過性プレート１０の図柄表示開口１ｔ内に位置する左右方向の中央部には前記指標部１ｋを白色印刷してある。
【００１５】
ベースプレート１ｍの下部前面には１個の遊技球が通過する左右間隔を以て相対峙する一対の縦壁１ｕ，１ｖを一体に突設し、これらの縦壁１ｕ，１ｖは中央開口１ｎの下縁より下方に向けて延設され、縦壁１ｕ，１ｖの対向間に前記特定領域１ｊを通過孔タイプに形成しているとともに、左右の外周壁１ｐ，１ｑの下部縦縁との間に１個の遊技球が通過する左右間隔を有する前記出口１ｃ，１ｄを通過孔タイプに形成している。
【００１６】
特定領域１ｊには前記特定球検出器６を組み付け、出口１ｃ，１ｄには前記外側球検出器４，５を組み付けてある一方、ベースプレート１ｍの周縁には入賞装置を図５に示すパチンコ機の遊技板２０にねじで取り付けるための複数の取付孔１ｗを形成してある。
【００１７】
上記中央開口１ｎにはベースプレート１ｍとは別体に形成された合成樹脂製の前方開放で後方閉鎖の前後方向に奥行きの有る角筒状に形成されたボックス１１をベースプレート１ｍの裏面に突出しかつベースプレート１ｍの前方に突出しない状態に取り付けたことで前記内側領域１ｆを形成している。
【００１８】
この内側領域１ｆを内部に形成したボックス１１の上縁には円弧状の庇１１ａを一体に有し、この庇１１ａはベースプレート１ｍの前面より前面に突出していて中央開口１ｎの上方より内側領域１ｆに遊技球が入らないようにしている一方、この庇１１ａの上面中央には突起１１ｂを有し、この突起１１ｂは中間出口１ｓより外側領域１ａに落下した遊技球が当接することにより、その遊技球を左右のいずれかに跳ね返し、意外性の大きな遊技球の流れを作る。
【００１９】
上記ボックス１１の底壁１１ｃは前縁が後縁より高さの低い前傾状の傾斜面を形成し、この底壁１１ｃの前傾方向中間には底壁１１ｃの上を転がる遊技球を外側から内側に誘導する左右一対の誘導壁１１ｄ，１１ｅを一体に設け、これらの誘導壁１１ｄ，１１ｅの間には底壁１１ｃの上面に沿って１個の遊技球が通過する左右間隔を有する中間通路１１ｆを形成し、この中間通路１１ｆは前面から見て特定領域１ｊと上下方向で対向している。
【００２０】
ボックス１１の内部にはボックス１１とは別体に形成され前面より見て単発飛行機を見る人に概念させる合成樹脂製の誘導部材としての固定飾り１２を有し、この固定飾り１２のフロント胴体１２ａから左右に延設された固定翼１２ｂ，１２ｃがボックス１１の左右壁に取り付けられている。
【００２１】
また、ベースプレート１ｍにおける内側領域１ｆの前記入口１ｇ，１ｈとしての中央開口１ｎの左右縁には前記羽根２，３を配置してあり、これらの羽根２，３は通常はベースプレート１ｍの前面および中央開口１ｎの左右縁に沿う縦方向に配置されて入口１ｇ，１ｈを閉鎖しており、これらの羽根２，３の上下方向中間部外側面には軸部２ａ，３ａを一体に設け、これらの軸部２ａ，３ａは入口１ｇ，１ｈの開口幅員（上下幅）中間部に位置するようにベースプレート１ｍの外側領域１ａに形成された図４に示す軸受け１５ａに回転可能に取り付けられ、これらの軸部２ａ，３ａおよび軸受け１５ａとが羽根２，３の回転中心を構成している。
【００２２】
上記入口１ｇ，１ｈを閉鎖する状態において、羽根２，３の上端内側には突起２ｂ，３ｂを形成有してあり、羽根２，３が図２に示す閉鎖状態から回転中心を中心として所定の回転角度範囲を以て互いに逆方向に開閉動作し、その開動により図３に示すように、羽根２，３の一半部としての上半部が外側領域１ａに位置し、羽根２，３の他半部としての下半部が内側領域１ｆの前方に位置して固定翼１２ｂ，１２ｃの前方に張り出し、羽根２，３が前面より見て単発飛行機の翼を見る人に想像させる形態となって内側領域１ｆの入口１ｇ，１ｈを開放して外側領域１ａより内側領域１ｆに遊技球を誘導する開放状態となり、この開放状態が最大となった図３に示す状態において、羽根２，３は外側領域１ａに張り出した端部と外周壁１ｐ，１ｑとの間に１個の遊技球が通過する隙間１３ａ，１３ｂを形成する。
【００２３】
なお、縦壁１ｕ，１ｖおよび外周壁１ｐ，１ｑの前面には図１、図３および図４に示すようにベースプレート１ｍとは別体に形成された合成樹脂製の下前板１４を取り付けてある。
【００２４】
図４において、羽根２，３を駆動するアクチュエータとしての単動スプリングを有する電磁駆動自己復帰タイプのソレノイド１５は装置本体１のボックス１１の裏面に取り付けられ、このソレノイド１５のアーマチュアにはベースプレート１ｍの裏面に突設された軸受け１５ａに回転可能に支持された羽根２，３の軸部２ａ，３ａをレバー１５ｂ，１５ｃを介在して連結している。
【００２５】
上記ソレノイド１５、軸受け１５ａ、レバー１５ｂ，１５ｃは羽根２，３を図２に示す閉鎖状態と図３に示す開放状態とに軸受け１５ａと軸部２ａ，３ａからなる回転中心を中心として所定の回転角度範囲を以て互いに逆方向に開閉動作する開閉駆動機構を構成し、例えば、制御装置８からの出力によりソレノイド１５のアーマチュアが上昇して羽根２，３を開動作し、制御装置８からの出力停止によりソレノイド１５のアーマチュアが下降して羽根２，３を閉動作するようになっている。
【００２６】
装置本体１の背部に設置された表示器７は、複数の異なる図柄を有して横方向に回転する状態に配置された図柄表示回転体７ａ、図柄表示回転体７ａの中央部で上方に向けて一体回転可能に結合された軸７ｂ、軸７ｂに結合され装置本体１の背部に設置された出力軸を有するアクチュエータとしてのモータ７ｃ、モータ７ｃを装置本体１の背部に取り付けるための支持フーレム７ｄ、図柄表示回転体７ａの内壁で下方に突出する被検出部７ｅ、ボックス１１に取り付けられ被検出部７ｅを図柄表示回転体７ａの一回転ごとに検出して電気信号に変換して出力する原点検出器７ｆを備え、制御装置８からの出力によるモータ７ｃの駆動で図柄表示回転体７ａが横方向に回転し、原点検出器７ｆからの電気信号を基準とする回転角度に応じた位置でモータ７ｃの駆動が停止し、その停止位置において、図柄表示回転体７ａに描かれた複数の図柄のうちの一つが指標部１ｋと前後方向に対向して指示される。
【００２７】
外側球検出器４，５および特定球検出器６は１個の遊技球の通過を許容する貫通孔４ａ，５ａ，６ａを個別に有し、それぞれの貫通孔４ａ，５ａ，６ａを個別に通過する遊技球を無接触に検出し、その電気信号に変換した検出信号を制御装置８に出力する近接スイッチを内蔵した構造になっている。
【００２８】
また、固定飾り１２の固定翼１２ｂ，１２ｃはボックス１１の前面より後方中間部までの奥行き幅を有し、固定翼１２ｂ，１２ｃ上を奥に向けて転がった遊技球が固定翼１２ｂ，１２ｃとボックス１１の後壁との間に形成された空間１６を通過してボックス１１の底壁１１ｃ上に落下するようになっている。
【００２９】
したがって、この実施例によれば、図外の電源投入により、図１に示す制御装置８が起動した状態において、遊技球が図２に示す上前板９の誘導壁９ａから入口１ｂおよび中間出口１ｓを経て外側領域１ａに入って庇１１ａに向けて落下し、庇１１ａの突起１１ｂに当接して外周壁１ｐ，１ｑ側に跳ね返されたり、突起１１ｂ以外の庇１１ａの上面に当接して当該庇１１ａに沿って流下するというように、遊技球は変化に富む意外性の大きな流れを生じるので、遊技球の飛球方向の意外性に訴える遊技性を向上することができる。
【００３０】
引き続き、遊技球が上記突起１１ｂに跳ね返されたり、庇１１ａに沿って流下しながら、内側領域１ｆの左右に別れた外側領域１ａのいずれか一方を経由して出口１ｃ，１ｄのいずれか一方に到達すると、その部分に設置された外側球検出器４または外側球検出器５による球検出により、羽根２，３が制御装置８に予め設定された所定回数だけ開閉動作する。
【００３１】
この羽根２，３の開閉動作中において、図３に示すように上記とは別の遊技球１７が誘導壁９ａから入口１ｂおよび中間出口１ｓを経て外側領域１ａに入り庇１１ａに落下して左右のいずれか一方に別れるとき、庇１１ａ寄りに落下するか、または外周壁１ｐ，１ｑ寄り落下する。
【００３２】
上記遊技球１７が庇１１ａ寄り落下した場合、当該遊技球１７は開放状態の羽根２，３のいずれ一方に受け止められた後に羽根２または羽根３上を転がって外側領域１ａから内側領域１ｆの前方に誘導される。
【００３３】
この遊技球１７が開閉動作中の羽根２，３で受け止められる際、羽根２，３が図３に示すように最大開放状態のときには、内側領域１ｆに誘導された遊技球１７は羽根２または羽根３から固定飾り１２の固定翼１２ｂまたは固定翼１２ｃ上に転出することで内側領域１ｆに入った後に、固定飾り１２の固定翼１２ｂまたは固定翼１２ｃ上を流下して図４に示す空間１６からボックス１１の底壁１１ｃ上に落下し、この落下した遊技球は底壁１１ｃ上を底壁１１ｃの前傾状の斜面に沿って流下し、その流下途中で誘導壁１１ｄまたは誘導壁１１ｅに沿って中間通路１１ｆに誘導され、その中間通路１１ｆから内側領域１ｆの出口１ｉに向けて底壁１１ｃ上を流下し、その出口１ｉよりベースプレート１ｍの前面に沿い落下する。
【００３４】
この実施例では、図２に示すように、中間通路１１ｆが特定領域１ｊと上下方向で対向する状態に位置しているとともに、前傾状の底壁１１ｃが横方向に偏平に形成されていることから、中間通路１１ｆから出口１ｉに向けて底壁１１ｃ上を流下する遊技球１７のほとんどは特定領域１ｊの真上に到達し、その部分からベースプレート１ｍの前面に沿い落下して特定領域１ｊに入る。
【００３５】
また、この実施例では、図３に示すように、内側領域１ｆをベースプレート１ｍの前面より後方に形成し、羽根２，３をベースプレート１ｍの前面より前方で開閉動作するように構成してあるので、上記遊技球１７が開閉動作中の羽根２，３で受け止められる際、羽根２，３が図３に示す最大開放状態（全開状態）と図２に示す最大閉鎖状態（全閉状態）との中間状態、具体的には、羽根２，３が閉じる途中または開く途中のときには、羽根２，３は内側領域１ｆの前方に張り出された他端の上面が固定翼１２ｂ，１２ｃの上面より下方に位置ずれした急傾斜になっていているから、遊技球１７は羽根２，３から固定翼１２ｂ，１２ｃに転出されることなく羽根２，３上を転落して出口１ｃ，１ｄおよび特定領域１ｊに向けて落下する。
【００３６】
この閉じかけ中または開きかけ中の羽根２，３から遊技球が出口１ｃ，１ｄおよび特定領域１ｊに向けて落下する場合において、羽根２，３が閉じかけ中のときは、遊技球１７が特定領域１ｊよりも出口１ｃ，１ｄに入る確率が高く、羽根２，３が開きかけ中のときは、遊技球１７が出口１ｃ，１ｄよりも特定領域１ｊに入る確率が高いという、遊技球１７が変化に富んだ流れを呈する。
【００３７】
そして、遊技球１７が特定領域１ｊに入ると、特定球検出器６による球検出により、表示器７が回転して停止して複数の図柄のうちの一つを指標部１ｋに対向させて指示し、その指示された図柄が当たり図柄の場合には、制御装置８は当たり信号を図外の役物に出力し、遊技者に有利な遊技が発生する一方、指示された図柄が当たり図柄以外の外れ図柄である場合には、制御装置８は図外の役物への出力を行わない。
【００３８】
上記羽根２，３の開閉動作中において、遊技球１７が出口１ｃ，１ｄに入ると、制御装置８が外側球検出器４，５からの球検出数を一時記憶し、羽根２，３の所定回数の開閉動作終了後に、制御装置８が羽根２，３を所定回数だけ再び開閉動作して、上記遊技を繰り返させる。
【００３９】
また、この実施例では出口１ｃ，１ｄおよび特定領域１ｊがベースプレート１ｍの前面において、上下に貫通した通過孔タイプに構成されているので、遊技球１７は図４に示すように出口１ｃ，１ｄおよび特定領域１ｊからベースプレート１ｍの前面下方に落下する。
【００４０】
しかも、この実施例によれば、内側領域１ｆの底壁１１ｃを前傾状に形成したので、遊技者が内側領域１ｆ内での遊技球の流れ、出口１ｃ，１ｄや特定領域１ｊへの入りの瞬間を入賞装置１の前方より的確に見る視認性に訴える遊技性を向上することができる。
【００４１】
次に、図５を用いて上記実施例の入賞装置を使用したパチンコ機のゲージ盤の一態様について説明する。
【００４２】
図５において、遊技板２０は前面に図外のデザイン図の描かれたほぼ方形に形成され、その前面には図外の発射装置により発射された遊技球を遊技領域に誘導するバンド２１を取り付け、このバンド２１内における遊技領域には上記入賞装置２２、ランプ風車２３、風車２４、一般入賞口２５、アウト口２６、サイドランプ２７、遊技釘２８、普通電動役物２９、第３種始動口３０、アタッカ３１を取り付け、バンド２１外における非遊技領域である上部左右には図外の賞球ランプおよび図外のストップランプを取り付け、以て、遊技板２０がパチンコ機のゲージ盤を構成し、遊技板２０の裏面には上記制御装置８と一体に構成されたかまたは別体に構成されたマイクロコンピュータを有する制御装置３２を設置してある。
【００４３】
普通電動役物２９は前後方向に往復駆動するスライド部材２９ａと、スライド部材２９ａの中央部に上下方向に貫通形成された特定導入孔２９ｂと、特定導入孔２９ｂの両側でスライド部材２９ａに上下方向に貫通形成された一般導入孔２９ｃと、スライド部材２９ａの下方に配置された特定入賞領域２９ｄと、特定入賞領域２９ｄの両側で配置された一般入賞領域２９ｅとを備え、表示器７において可変表示後に停止した複数の図柄が例えば同一図柄で３つ揃うと、制御装置３２の役物制御動作により、スライド部材２９ａが往復駆動し、そのスライド部材２９ａが前方に往動したとき、スライド部材２９ａの特定導入孔２９ｂ及び一般導入孔２９ｃとを開放し、そのとき遊技球が入口２９ａに入ると、そのスライド部材２９ａの特定導入孔２９ｂ又は一般導入孔２９ｃに入賞し、スライド部材２９ａが後方に復動したとき、スライド部材２９ａが特定導入孔２９ｂ及び一般導入孔２９ｃとを閉止し、スライド部材２９ａの一般導入孔２９ｃが一般入賞領域２９ｅに接続されるとともに特定導入孔２９ｂが特定入賞領域に接続される。
【００４４】
第３種始動口３０は普通電動役物２９の特定入賞領域２９ｄに遊技球が入賞すると、制御装置３２の役物制御動作により、アタッカ３１を大当り動作するきっかけを作るための始動口機能を発揮し、大当り動作が終了してから特定入賞領域２９ｄに遊技球が入賞するまでの間、つまり特定入賞領域２９ｄに遊技球が入賞していないときは、一般入賞口と同様の働きをする。
【００４５】
制御装置３２は入賞装置２２、普通電動役物２９、第３種始動口３０およびアタッカ３１の駆動制御のほかに、賞球ランプ、ストップランプおよびサイドランプの点滅表示制御を行う。
【００４６】
この実施態様によれば、図外の電源投入によるゲージ盤の遊技の可能な状態において、遊技球が入賞装置２２の特定領域１ｊに入球して表示器７が当たり図柄を指示することにより、制御装置３２が普通電動役物２９のスライド部材２９ａを所定回数往復駆動し、その往復駆動中に入賞装置２２の出口１ｃ，１ｄまたは特定領域１ｊから遊技板２０の前面に排出された遊技球あるいは上記とは別の遊技球が普通電動役物２９の特定入賞領域２９ｄに入賞すると、制御装置３２が第３種始動口３０の始動口機能を発揮し、その始動口機能が発揮されているときに、上記とはさらに別の遊技球が第３種始動口３０に入賞すると、制御装置３２がアタッカ３１を大当り動作し、遊技者に有利な遊技を開始する。
【００４７】
図５においては、遊技釘２７を遊技板２０の上部に数本図示して図を簡明にしてあるが、実際には多数の遊技釘２７が遊技板２０の遊技領域の全域に遊技性を向上する遊技球の流れを作るような所定のゲージ配置を以て打ち付けられている。
【００４８】
前記実施例では表示器７として図柄指定方式を採用した場合を図示して説明したが、図柄を可変表示して停止しその停止図柄が予め設定された組み合わせに揃うと当たりを発生するドラムタイプやリーフタイプあるいは画像表示タイプの図柄可変表示方式を採用しても同様の効果がある。
【００４９】
【発明の効果】
この発明は次のような効果を有する。
請求項１によれば、羽根が開いた場合、外側領域を流下した遊技球が、羽根で内側領域に誘導されてボックスの底壁を前側に流下して中央開口を経由して特定領域または出口に入るか、または、外側領域に張り出した羽根の端部と外周壁との間に形成された隙間を通過して出口に入るから、遊技球を拾う確率が遊技者個々人の技術格差に左右されることなく安定し、遊技者が開いた羽根で外側領域から内側領域に入る場合と、遊技球が開いた羽根と外周壁との間を通過する場合との両方が発生し、遊技性を向上することができる。請求項２によれば、外側領域を流下した遊技球が、特定領域に入ることなく特定領域よりも下方の出口に入るから、外側領域を流下した遊技球が遊技者個々人の技術格差に左右されることなく出口に確実に入る。請求項３によれば、特定領域または出口に入った遊技球がベースプレートの前面から遊技板の遊技領域に排出されるから、特定領域または出口から遊技球が入賞装置以外の入賞装置に入る可能性がある。請求項４によれば、特定領域に遊技球が入ると、表示器が当たり図柄または外れ図柄を表示するから、表示器による遊技性も向上することができる。
【図面の簡単な説明】
【図１】実施例の入賞装置の正面図。
【図２】実施例の入賞装置の下前板を取り外した状態の正面図。
【図３】実施例の入賞装置の羽根が全開した状態の正面図。
【図４】図３に示すＡ−Ａ線断面図。
【図５】実施態様としてのゲージ盤の正面図。
【符号の説明】
１  装置本体
１ａ  外側領域
１ｂ  外側領域の入口
１ｃ  外側領域の出口
１ｄ  外側領域の出口
１ｆ  内側領域
１ｇ  内側領域の入口
１ｈ  内側領域の入口
１ｉ  内側領域の出口
１ｊ  特定領域
１ｋ  指標部
２  羽根（開閉体）
３  羽根（開閉体）
４  外側球検出器（外側球検出手段）
５  外側球検出器（外側球検出手段）
６  特定球検出器（特定球検出手段）
７  表示器
８  制御装置
８ａ  開閉動作手段
８ｂ  図柄作動手段
１１  ボックス
１２  固定飾り
【図１】
0003617690.tif 000002
【図２】
0003617690.tif 000003
【図３】
0003617690.tif 000004
【図４】
0003617690.tif 000005
【図５】
0003617690.tif 000006